(57)【要約】【課題】  以前から、網の摩耗を知る方法が無く、劣化による金網交換時期の目安は、作業者の勘と経験に頼るしか手が無かった。その為、網破れによる不良品が出る事もあった。私共の製品は、半導体チップの封止材として、半導体メーカーのチップを覆う材料となる。もしこの封止材の中に網の断片が混入した場合、半導体は不良品となる。半導体は極小なので、１トンの原料から非常に沢山の製品が生まれ、この全てが不良品になったとしたら、賠償金が数億円となる場合もある。その為誰もが網の摩耗を知り、網破れを未然に防ぐ事が出来ないか？と願っていた。【解決手段】粉体を篩分ける篩網（図１）４の劣化による金網の交換時期を検知する為、前記篩網を照らすライト２と照らされて反射する篩網の反射光を測定する照度計３を設置した事を特徴とする篩網摩耗度検知システムを設置する。【選択図】図１
2012161778.tif 000002
【特許請求の範囲】
【請求項１】
振動篩の金網の劣化状態を診断する方法に於いて、摩耗した金網の反射光を測定して金網の劣化を診断することを特徴とする篩網摩耗度検知システム。
【請求項２】
診断対象（篩網使用限界）の金網が取り付けられている振動篩の照度と、まだ交換まで余裕が有る金網との照度測定値の差に基づいて診断対象の金網の劣化状態を診断することを特徴とする請求項１に記載の篩網摩耗度検知システム。
【請求項３】
一方から、高輝度のライトを金網表面に当て、そのライトの光が反射する、もう一方に照度計を配置して、その反射光の測定値を数字に表し、金網交換時期を知る事が出来るということを特徴とする篩網摩耗度検知システム。
また、篩蓋等に設置する場合図１、ライトや照度計に埃が付着せぬよう埃対策が必要となる。その場合、振動対策に防振ゴム等を使用すると更によい。
【請求項４】
篩網の劣化状態を診断することを特徴とする請求項１〜３のいずれか一項に記載の篩網摩耗度検知システム。
【発明の詳細な説明】
【技術分野】
【０００１】  本発明は、粉粒を篩分ける篩において、そこに使用される篩網の摩耗による劣化状態を正確に診断して、網の交換時期を知る事が出来る篩網摩耗度検知システムに関する。
【背景技術】
【０００２】  従来から篩網を長期使用していると、篩分ける粉体によって篩網表面が研磨され、線径が細くなったりして破断する事が本発明者の研究により確認された。【０００３】  ところで、従来においては、網の摩耗を知る方法が無く、作業者の勘と経験に頼るしか手が無かった。その為網破れによる不良品が出る事もあった。したがって、ある一定期間の使用を限界と想定して、金網交換が行われていた。【０００４】  ところが、金網の摩耗、劣化は、篩分ける粉体によって摩耗の進行状態が異なる為，金網の交換リサイクルを比較的短い期間に設定すると、まだ劣化していない金網を交換する事になってしまい、篩網のランニングコストが上昇してしまう。一方金網の交換サイクルを比較的長い期間に設定すると、篩の稼働時に金網が破損し、その結果、篩分け処理される被処理物に金網の破片が混入する恐れが生じてしまう。【０００５】  このような理由から、金網の劣化状態を正確に診断する事が出来る方法が望まれていた。
【先行技術文献】
【特許文献】
【０００６】
【特許文献１】特開２００７−１３６３８２
【発明の概要】
【発明が解決しようとする課題】
【０００７】  しかしながら、以上の技術によれば、摩耗により網は擦り減って行くので、一定期間が来ると交換しなければならないが、網の交換時期は誰にも解らず、作業者の勘や経験による判断に頼らざる他無かった。その為、網破れは少なからず確認された。しかし、誰もが網の劣化を知り、網破れを未然に防ぐ方法が出来ないか？と願っていた。
そこで、本発明は、網の摩耗から来る交換時期を数字で知る事が出来る。篩網摩耗度検知システムを提供する事を目的とする。
【課題を解決するための手段】
【０００８】  本発明者は、振動篩で、粉体を長期篩い、消耗し交換された金網を何枚か目視した所、使用頻度により金網の表面の輝き方が違い、使用時間が長いほど金網表面が光っている事に着目し、この輝き方を測定する事が出来ないか？と考え、高輝度ライトと照度計で測定する事を思いついた。つまり、本発明者は、作業の観察や研究から金網の断片が製品内に混入してしまう前に、照度計の測定値で正確な金網の摩耗度を知る為の方法を見出した。【０００９】  請求項１に記載の発明によれば、振動篩の金網の劣化状態を診断する方法に於いて、摩耗した金網の反射光を測定して金網の劣化を診断することを特徴とする篩網摩耗度検知システムが提供される。【００１０】  請求項２に記載の発明によれば、診断対象（篩網使用限界）の金網が取り付けられている振動篩の照度と、まだ交換まで余裕が有る金網との照度測定値の差に基づいて診断対象の金網の劣化状態を診断することを特徴とする請求項１に記載の篩網摩耗度検知システムが提供される。【００１１】  請求項３に記載の発明によれば、一方から、高輝度のライトを金網表面に当て、そのライトの光が反射する、もう一方に照度計を設置して、その反射光の測定値を数字に表し、金網交換時期を知ることを特徴とする篩網摩耗度検知システムが提供される。また篩蓋等に設置する場合図１、ライトや照度計に埃が付着せぬよう埃対策が必要となる。その場合振動対策に防振ゴム等を使用すると更によい。【００１２】  請求項４に記載の発明によれば、篩網の劣化状態を診断する事を特徴とする請求項１〜３のいずれか一項に記載の篩網摩耗度検知システムが提供される。
【発明の効果】
【００１３】  請求項１及び２に記載の篩網摩耗度検知システムでは、篩網の劣化状態が診断される。好ましくは診断対象（篩網使用限界）の金網とまだ交換の必要が無い金網との差により診断対象の金網の劣化状態が診断される。【００１４】  そのため、請求項１及び２に記載の篩網摩耗度検知システムによれば、例えば金網の使用期限等を勘や推定に頼る方法より金網の劣化状態を正確に診断することが出来る。詳細には、請求項１及び２に記載の篩網摩耗度検知システムによれば、金網の劣化を照度計の数字で知る事により、振動篩によって篩分けられる粉体中に金網破れの断片が混入してしまう恐れを大幅に低減する事が出来る。【００１５】  請求項３に記載の篩網摩耗度検知システムでは、粉体を篩分ける篩網の交換時期を検知する検知システムであって、前記篩網の表面を照らすライトと、照らされて反射する篩網の反射光照度を測る照度計を備えた事を特徴とする篩網摩耗度検知システムである。具体的には、篩網は摩耗によって網の針金の断面が丸から半円（図４▲ｄ▼）、ちょうど、かまぼこを逆さにしたように研磨される事により、針金の丸い部分の上半分が平らになる。結果、平らな部分が、鏡のような反射をするようになる。この反射を利用して照度を測り篩網交換の目安とする。【００１６】  そのため、この篩網摩耗度検知システムを振動篩蓋に設置すれば、図１、金網に照射する為の高輝度ライトや、その光の反射光を受ける照度計の設置を別個に設ける必要性を排除する事が出来る。その場合、常時篩蓋に設置する場合は、ライトや照度計に埃が付着しないよう埃対策をする必用がある。（例えばシャッターユニット等が大変有効と考えられる）。その場合振動対策として防振ゴム等を使用すると更によい。【００１７】  請求項４に記載の篩網摩耗度検知システムでは、測定時に粉体等の原料が、網の上に乗っている場合は測定不可能なので、測定前に、原料（粉体）を網の上に落とさずに、空状態で、粉体が網上に無くなるまで、数分間、空稼働する必用がある。そして振動篩が停止状態の時に測定をする。
【図面の簡単な説明】
【００１８】
【図１】本発明の一実施形態の検知システムを示す一部破断斜視図である。
【図２】実際の振動篩で使用された篩網を用いて、▲ａ▼稼働時間なし、新品７３ＬＵＸ  ▲ｂ▼稼働時間３００時間、６２ＬＵＸ  ▲ｃ▼稼働時間４００時間６８ＬＵＸ  ▲ｄ▼稼働時間６００時間８０ＬＵＸ（使用限界）。それぞれを、模型の振動篩を作成し、実際に測定して、その値を縦に照度（ＬＵＸ）横に稼働時間として表した篩網の劣化を示すグラフである。
【図３】図２のグラフ中に有る▲ａ▼▲ｂ▼▲ｃ▼▲ｄ▼と記された、実際の劣化網の写真である。
【図４】図２、図３に示された▲ａ▼▲ｂ▼▲ｄ▼の金網の断面を表した顕微鏡写真である。尚▲ｃ▼の金網は紛失して映像が無いが、殆ど▲ｂ▼と似た感じである。
【図５】従来技術を示す一部破断斜視図である。
【発明を実施するための形態】
【００１９】  以下、本発明の篩網摩耗度検知システムの第１の実施形態について説明する。図１は、第１の実施形態の篩網摩耗度検知システムが適用される、振動篩金網劣化診断装置等を示した図である。図１において１は篩蓋を示しており２は金網４を照らす高輝度照明装置、３はその反射光を受ける照度計を示している。
【００２０】  詳細には、図１において、１は振動篩主要部を示し、原料は１の篩蓋上から投入され、投入された原料（粉体）は、篩網４によって篩分けられ、篩上に残る残留物は排出口５より排出される。なお、篩分けされて、網を通過した製品は排出口６から、製品ラインに送られる。
【００２１】  図１、の篩蓋１は、やや円錐状の形態であり、一方の中央付近に穴を開け、高輝度のライトを設置し、蓋の逆側に同じように照度計を設置する。ライトを、より高輝度にする理由は、高輝度で有れば有るほど、反射する反射光も強くなり、反射光を受ける照度計の数値は上がる。数値が上がると、より細かい数字が照度計の画面に表示されるので、僅かな消耗の度合いを知る事が出来る。篩網に当てる光の範囲は、広くても狭くても良いが、確実に反射光が照度計に当たっている事を確認して取り付ける。そして、粉体が真ん中寄りに集めて篩っている場合は、ライトを真ん中に照射し、網の端に寄せて篩っている場合は、ライトを端に照射する。要するに１番網の消耗が激しいと思われる場所にライトを照射し、照度計で測定する方法が１番安全性を確認出来る方法である。尚図１の篩蓋１のように、密閉され、ライト２以外の光が入らないようにする。そして、常に同じ場所、同じ状態で測定しなければならない。この篩網摩耗度検知システムによる理想的な劣化金網の交換時期は、図２・３・４の▲ｄ▼のように金網の針金が半円状態、つまり反射光が最大になった時（篩う粉体により当てはまらない場合も有る。その場合は１度テスト稼働させ、交換時期を探り、丁度交換時期の時と思われたその時点の照度計の値を記録して、次回からの交換の目安とする）である。なぜなら篩網の針金が半円（図２・３・４の▲ｄ▼）状態になるまでは、消耗のスピードが緩やかだが、半円状を過ぎると、摩耗は一気に進む。と同時に、針金の線径も細くなるので、強度も無くなり、より網破れしやすくなる。
【００２２】  この実施形態によれば、高輝度のライトと照度計を設置することで、篩網の消耗を数字で知る事が出来る為、交換の時期が容易に知る事が出来る。その為網破れの予防となる。図１では、常時設置するように示してあるが、網の上に粉体が無い事を確認してから設置する方法も有る。測定時は、より高輝度のライトを使用する方が、細かいデーターが取れるので、望ましい。尚、使用している粉体（原料）の色や形により、照度計が示す値は違ってくるので、注意する。
【産業上の利用可能性】
【００２３】  粉体を篩分けする、あらゆる金網全てに本発明の利用が可能である。
【符号の説明】１  篩本体    ２  高輝度照明（ライト）    ３  照度計
【図１】
2012161778.tif 000003
【図２】
2012161778.tif 000004
【図３】
2012161778.tif 000005
【図５】
2012161778.tif 000006
【図４】
2012161778.tif 000007
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
篩の金網の劣化状態を診断する方法に於いて、金網の表面が粉体により研磨され、摩耗して劣化が進むと同時に徐々に反射光が強くなる。これを照度計で測定すると劣化の進行に合わせて照度計の測定値が大きくなって行く。これらにより金網の劣化を診断する事を特徴とする篩網摩耗度検知方法。
【請求項２】
摩耗により破断する、金網の使用限界と思われる破断寸前の反射照度測定値を計測する事により、次回から使用する金網では、計測する反射照度測定値が前記の破断寸前の反射照度測定値以下の場合、使用可能であるという事が出来る金網の劣化状態を診断する事を特徴とする請求項１に記載の篩摩耗度検知方法。
【請求項３】
一方から高輝度のライトを金網表面に当て、そのライトの光が反射する位置に照度計を配置し、反射光の照度を測定する。これらにより請求項２に記載したように、金網の劣化状態を知る事が出来、金網交換時期を知る事が出来るということを特徴とした篩摩耗度検知方法。
【手続補正書】
【提出日】平成23年12月19日(2011.12.19)
【手続補正１】
【補正対象書類名】特許請求の範囲
【補正対象項目名】請求項１
【補正方法】変更
【補正の内容】
【請求項１】
金網の表面が粉体により研磨され、摩耗して劣化が進むと同時に徐々に強くなる反射光を照度計で測定し、劣化の進行に合わせて大きくなって行く照度計の測定値により金網の劣化を診断する事を特徴とする篩網劣化診断方法。
【手続補正２】
【補正対象書類名】特許請求の範囲
【補正対象項目名】請求項２
【補正方法】変更
【補正の内容】
【請求項２】
摩耗により破断する、金網の使用限界と思われる破断寸前の反射照度測定値を計測する事により、次回から使用する金網では、計測する反射照度測定値が前記の破断寸前の反射照度測定値以下の場合、まだ使用可能であるという事が出来る金網の劣化状態を診断する事を特徴とする請求項１に記載の篩網劣化診断方法。
【手続補正３】
【補正対象書類名】特許請求の範囲
【補正対象項目名】請求項３
【補正方法】変更
【補正の内容】
【請求項３】
一方から高輝度のライトを金網表面に当て、そのライトの光が反射する位置に照度計を配置し、反射光の照度を測定することにより、金網の劣化状態を知る事が出来、金網交換時期を知る事が出来るということを特徴とする請求項２に記載の篩網劣化診断方法。
【手続補正４】
【補正対象書類名】明細書
【補正対象項目名】［００１２］
【補正方法】変更
【補正の内容】
【００１２】請求項１〜３に記載の発明によれば、篩網の劣化状態を診断する事を特徴とする請求項１〜３のいずれか一項に記載の篩網劣化診断方法が提供される。
【手続補正５】
【補正対象書類名】明細書
【補正対象項目名】［００１７］
【補正方法】変更
【補正の内容】
【００１７】請求項１〜３に記載の篩網劣化診断方法では、測定時に粉体等の原料が、網の上に乗っている場合は測定不可能なので、測定前に、原料（粉体）を網の上に落とさずに、空状態で、粉体が網上に無くなるまで、数分間、空稼働する必用がある。そして篩が停止状態の時に測定をする。